(57)【要約】      （修正有）【課題】靴と足とが一体化可能なソックスシューを提供する。【解決手段】ユーザの足部を収容する収容空間１１を内部に有するソックス本体１と、長尺状の構造である少なくとも１本の弾性バンド２と、を含む。弾性靴底３は、ユーザの脚底形状に応じて形成され、ユーザの足裏を覆い、かつ、弾性靴底３とソックス本体１内の底面とが結合されて一体成形される。弾性バンド２の第１の端部及び第２の端部は、弾性靴底３の対をなす両側に設置され、弾性バンド２の第１の端部及び第２の端部がソックス本体１と弾性靴底３との間で覆われてユーザの足部が履けるように弧形状に形成される。本考案は、以上の構造により、ユーザがソックス本体１を穿く際、弾性バンド２がユーザの足裏を弾性靴底３内に固定し、ユーザが転んだり怪我をしたりする危険性を無くし、使用寿命を延ばす。【選択図】図３
0003209119.tif 000002
【実用新案登録請求の範囲】
【請求項１】
一端に履口が設けられ、ユーザの足部を収容する収容空間を内部に有するソックス本体と、
第１の端部及び第２の端部を有し、前記第１の端部及び前記第２の端部は、前記ソックス本体と弾性靴底との間で覆われ、前記履口を介してユーザが前記足部を収容空間へ挿しいれて穿く際、足甲に当接される少なくとも１つの弾性バンドと、を含み、
ユーザの脚底形状に応じて形成され、ユーザの足裏を覆う前記弾性靴底は、前記ソックス本体の外部の底面と結合されて一体成形されることを特徴とする、
靴と足とが一体化可能なソックスシュー。
【請求項２】
前記ソックス本体は、伸縮性を有する織物、綿又は布により形成されることを特徴とする請求項１に記載の靴と足とが一体化可能なソックスシュー。
【請求項３】
前記弾性靴底は、プラスチック、ゴム又は発泡材料により構成されることを特徴とする請求項１に記載の靴と足とが一体化可能なソックスシュー。
【請求項４】
前記ソックス本体内の前記収容空間には、シューパッドが設置されることを特徴とする請求項１に記載の靴と足とが一体化可能なソックスシュー。
【請求項５】
前記弾性靴底は、滑り止め部を有することを特徴とする請求項１に記載の靴と足とが一体化可能なソックスシュー。
【請求項６】
一端に履口が設けられ、ユーザの足部を収容する収容空間を内部に有するソックス本体と、
第１の端部及び第２の端部を有し、前記第１の端部が弾性靴底の対をなす両側に固設され、前記第２の端部が前記第１の端部から異なる方向で所定長さで延び、前記第２の端部が、前記履口を介してユーザが足部を前記収容空間へ挿しいれて履くと足甲が当接される２つの弾性バンドと、を含み、
ユーザの脚底形状に応じて形成され、ユーザの足裏を覆う前記弾性靴底は、前記ソックス本体の外部の底面と結合されて一体成形されることを特徴とする、
靴と足とが一体化可能なソックスシュー。
【請求項７】
前記２つの弾性バンドの前記第１の端部は、前記ソックス本体と前記弾性靴底との間で覆われ、前記２つの弾性バンドの前記第２の端部は、着脱自在の結合部を有することを特徴とする請求項６に記載の靴と足とが一体化可能なソックスシュー。
【請求項８】
前記結合部は、互いに挿着される雄雌ファスナー又は面ファスナーであることを特徴とする請求項７に記載の靴と足とが一体化可能なソックスシュー。
【請求項９】
前記２つの弾性バンドの前記第１の端部は、前記弾性靴底の側辺と一体成形され、前記第１の端部と異なる方向で前記第２の端部が足甲の当接箇所まで延びることを特徴とする請求項６に記載の靴と足とが一体化可能なソックスシュー。
【考案の詳細な説明】
【技術分野】
【０００１】
本出願は、靴の技術分野に関し、特に、ユーザが転んだり怪我をしたりする危険性を無くし、使用寿命を延ばす、靴と足とが一体化可能なソックスシューに関する。
【背景技術】
【０００２】
一般に幼児は冬のときに、靴下を穿いて保温するが、幼児が靴下を穿いて歩くとき滑って転びやすい上、室内で常に靴を履くことは非常に不便である。このため、メーカーは、「ソックスシュー」を発明し、これは靴下と靴とが一体成形され、靴下を穿いてから靴を履くステップを省略することができるため、幼児にとって着脱が容易で、洗浄も容易である。
【０００３】
従来のソックスシューは、図６の（Ａ）に示すように、靴下ａの底部に弾性靴底ｂが結合されて成形されるが、幼児は一般に活動的であり、幼児が移動する際、図６の（Ｂ）及び図７に示すように、幼児の足裏が靴下ａ底部の弾性靴底ｂから突出しやすいため、幼児が転んで怪我をしたり、靴下ａと弾性靴底ｂとの接続箇所が何度も引っ張られて分離し易い。
【０００４】
上述の欠点を解決するために、本考案の考案者は、積極的に解決方法を探し、何度もテストを行って改善した結果、遂に靴と足とが一体化可能なソックスシューを創作した。
【考案の概要】
【考案が解決しようとする課題】
【０００５】
本考案の主な目的は、ユーザが転んだり怪我をしたりする危険性を無くし、使用寿命を延ばす、靴と足とが一体化可能なソックスシューを提供することにある。
【課題を解決するための手段】
【０００６】
上述の目的を達成するために、本考案が公開する靴と足とが一体化可能なソックスシューは、ユーザの足部を収容する収容空間を内部に有するソックス本体と、長尺状の構造である少なくとも１本の弾性バンドと、を含み、ユーザの脚底形状に応じて形成され、ユーザの足裏を覆う弾性靴底は、ソックス本体の外部の底面と結合されて一体成形される。弾性バンドの第１の端部及び第２の端部は、弾性靴底の対をなす両側に設置され、弾性バンドの第１の端部及び第２の端部がソックス本体と弾性靴底との間で覆われて履いたユーザの足部を制限する弧形状に形成される。
【０００７】
ソックス本体は、伸縮性を有する織物により形成される。
【０００８】
ソックス本体は、伸縮性を有する綿又は布により形成される。
【０００９】
弾性靴底は、プラスチック、ゴム又は発泡材料により構成される。
【００１０】
ソックス本体内の収容空間には、シューパッドが設置される。
【００１１】
弾性靴底は滑り止め部を有する。
【００１２】
弾性バンドの数は少なくとも１本であり、好ましくは３本である。
【考案の効果】
【００１３】
以上の構造より、ユーザがソックス本体を穿く際、本考案の弾性バンドによりユーザの足裏を弾性靴底内に固定し、ユーザが転んだり怪我をしたりする危険性を無くし、使用寿命を延ばすことができる。
【図面の簡単な説明】
【００１４】
【図１】本考案の斜視図である。
【図２】本考案の側面図である。
【図３】本考案の側面断面図とその部分拡大図である。
【図４】本考案の他側の断面図である。
【図５】本考案の他の実施例の斜視図である。
【図５Ａ】本考案のさらに他の実施例の弾性バンドが係合されていない状態を示す図である。
【図５Ｂ】図５Ａの弾性バンドの係合図である。
【図５Ｃ】本考案のさらに他の実施例の斜視図である。
【図６】ユーザが従来のソックスシューを穿いたときの状態を示す図である。
【図７】ユーザが従来のソックスシューを穿いた状態を示すもう一つの図である。
【考案を実施するための形態】
【００１５】
図１〜図５に示す本考案の好適な実施例は、これらの実施例を単に説明するだけのものであって、本考案を限定するものではない。
【００１６】
上述した靴と足とが一体化可能なソックスシューは、図１〜図４に示すように、ソックス本体１、弾性バンド２及び弾性靴底３を含む。
【００１７】
ソックス本体１は、ユーザの足部を収容する収容空間１１を内部に有し、かつ、伸縮性を有する綿、布又は織物などにより形成される。
【００１８】
弾性バンド２は、長尺状の構造であるとともに、第１の端部２１及び第２の端部２２を有する。
【００１９】
弾性靴底３は、ユーザの脚底形状に応じて形成され、ユーザの足裏を覆うことができる。図３に示すように、弾性靴底３は、プラスチック、ゴム、発泡材料など、弾性及び柔軟性を有する材料の液体がソックス本体１の繊維隙間内に浸み込んで凝固され、弾性靴底３とソックス本体１外部の底面とが結合されて一体化される。
弾性バンド２の第１の端部２１、第２の端部２２は、弾性靴底３の対をなす両側に設けられる。さらに詳細に述べると、弾性バンドの第１の端部２１及び第２の端部２２がソックス本体１と弾性バンド２との間で覆われて弧形状に形成され、ユーザの足部が履くと足甲が当接されて位置規制される機能を得る。好ましくは、ソックス本体１と弾性靴底３との間で覆った第１の端部２１及び第２の端部２２が踵まで延びることで、弾性バンドの結合がより強固になる。
【００２０】
上述した構造により、ユーザがソックス本体１を穿くと、弾性バンド２によりユーザの足裏が弾性靴底３内に固定され、ユーザが転んだり怪我したりする危険性を無くすことができ、従来のソックス本体と比べ、本考案の構造はソックスシューの使用寿命を延ばすことができる。
【００２１】
ソックス本体１内の収容空間１１には、シューパッド４が設置される。
【００２２】
弾性靴底３には、滑り止め部３１が設けられる。滑り止め部３１は、歩くときに転ぶことを防ぐことができる。
【００２３】
図５に示すように、本考案の他の実施例では、弾性靴底３の異なる箇所に多数の弾性バンド２が設置される。図に示すように、３本の弾性バンド２は、密着させて足部を覆う効果を得ることができる。
【００２４】
また、弾性バンド２は、１本の長尺状構造の他、変化させて図５Ａ、図５Ｂの実施例が示すよう、弾性バンド２Ａが２本の態様であり、２つの弾性バンド２Ａは、第１の端部２１Ａ及び第２の端部をそれぞれ有する。２つの弾性バンドの第１の端部は、弾性靴底３の対をなす両側に設置される。より明確に述べると、２つの弾性バンドの第１の端部は、ソックス本体１と弾性靴底３との間で覆われ、第１の端部２１Ａの異なる方向から一体化されて延びた第２の端部には、結合部が結合される。実施例の結合部は、互いに挿設結合される雄ファスナー２３Ａ及び雌ファスナー２４Ａであるが、結合部の実施態様は雌雄ファスナー方式だけに限定されず、例えば、面ファスナー、雄雌スナップボタンなどの実施態様でもよい。
２つの弾性バンドの第２の端部は、互いに結合された結合部が足甲を跨ぎ、ユーザの足部が履いたときに足甲が当接されて位置規制する機能を得る。実施例の弾性バンドの数は多数組であり、好ましくは３組である。実施形態は、図５Ａ、図５Ｂのように、結合部を有する１組の弾性バンド２Ａと２本の弾性バンド２とを組み合わせる。好ましくは、結合部の態様を有する３組の弾性バンドである。
【００２５】
また、図５Ｃに示す実施例のように、２つの弾性バンド２Ｂは、第１の端部２１Ｂ及び第２の端部２２Ｂをそれぞれ有する。２つの弾性バンドの第１の端部２１Ｂと、弾性靴底３Ａの側辺とは一体成形され、第１の端部と異なる方向で第２の端部２２Ｂが足甲の当接位置まで延びて対向する２つの弧状部である。好ましくは、２つの弾性バンド２Ｂは間隔をおいて設置された多数組であり、好ましくは３組である。
【００２６】
上述した説明をまとめると、本考案の構造設計は、上述した多くの長所及び実用価値を有するため、意匠性に優れ、同様の技術分野では未だ同じ又は類似の考案は創作又は公開使用されていないため、本考案は新規性及び進歩性の要件を満たしている。よって、法に基づき出願する。
【符号の説明】
【００２７】
ａ  靴下
ｂ  弾性靴底
１  ソックス本体
２，２Ａ，２Ｂ  弾性バンド
３  弾性靴底
３Ａ  弾性靴底
４  シューパッド
１１  収容空間
２１，２１Ａ，２１Ｂ  第１の端部
２２，２２Ｂ  第２の端部
３１  滑り止め部
【図１】
0003209119.tif 000003
【図２】
0003209119.tif 000004
【図３】
0003209119.tif 000005
【図４】
0003209119.tif 000006
【図５】
0003209119.tif 000007
【図５Ａ】
0003209119.tif 000008
【図５Ｂ】
0003209119.tif 000009
【図５Ｃ】
0003209119.tif 000010
【図６】
0003209119.tif 000011
【図７】
0003209119.tif 000012